(57)【要約】      （修正有）【課題】ベッドで寝ながらであっても簡易にスマートフォンが操作できる片手操作用スマートフォン着脱自在器具を提供する。【解決手段】片手操作用スマートフォン着脱自在器具１００は、スマートフォンＳを着脱自在に保持するように形成されたスマートフォン保持部１０と、スマートフォン保持部１０と連結し、スマートフォン保持部１０を支持する伸縮自在な伸縮棒２０と、伸縮棒２０と連結し、伸縮棒２０を支持し、ベッドＢに着脱自在に固定するように形成されたクランプ３０を有している。片手操作用スマートフォン着脱自在器具１００は、スマートフォンＳが、スマートフォン保持部１０に保持された状態で、且つ、クランプ３０が、ベッドＢに固定された状態で、ベッドＢに寝ているスマートフォンＳの使用者が、片手でスマートフォンＳを操作することができる。【選択図】図１
0003217434.tif 000002
【実用新案登録請求の範囲】
【請求項１】
スマートフォンが着脱自在に保持されるように形成されたスマートフォン保持部と、
前記スマートフォン保持部と連結し、前記スマートフォン保持部を支持するように形成された支持部と、
前記支持部と連結し、前記支持部を支持し、家具に着脱自在に固定するように形成された固定部と、
を有することを特徴とする片手操作用スマートフォン着脱自在器具。
【請求項２】
前記スマートフォンが、前記スマートフォン保持部に保持された状態、及び前記固定部が前記家具に固定された状態で、
前記スマートフォンの使用者が、片手で前記スマートフォンを操作することを特徴とする請求項１に記載の片手操作用スマートフォン着脱自在器具。
【請求項３】
前記家具は、ベッドであり、
前記支持部は、伸縮自在な伸縮棒であり、
前記固定部は、クランプであることを特徴とする請求項１または請求項２に記載の片手操作用スマートフォン着脱自在器具。
【考案の詳細な説明】
【技術分野】
【０００１】
本考案は、片手操作用スマートフォン着脱自在器具に関する。
【背景技術】
【０００２】
スマートフォンは、情報端末として普及しており、あらゆる場所で使用できるものとして普及している。このスマートフォンは、パーソナルコンピュータなみの情報処理の機能及び携帯電話の機能などを有するもので、一般的にスマホともよばれている。スマートフォンは、通常の電話としての通話機能の他に、ウェブページの閲覧、インターネット上の各種サービスやビジネスアプリケーションの使用、音楽や動画などマルチメディアの利用など、多彩な機能を有している。また、さまざまなアプリケーションをインストールすることができる機能を有している。
【考案の概要】
【考案が解決しようとする課題】
【０００３】
上記のスマートフォンは、あらゆる場所での使用が可能であり、例えば、病院のベッドにおいての使用も可能であるが、ベッドで寝ながら両手での操作は困難であり、簡易に操作できるものが求められており、特に、長時間ベッドでの治療が余儀なくされる患者にとって、簡易に操作ができることが求められていた。
【０００４】
本考案は、こうした点に鑑みてなされたものであり、ベッド、例えば、病院のベッドで寝ながらであっても簡易にスマートフォンを操作することができる片手操作用スマートフォン着脱自在器具を提供するものである。
【課題を解決するための手段】
【０００５】
上記課題を解決するために、本考案に係る片手操作用スマートフォン着脱自在器具は、スマートフォンが着脱自在に保持されるように形成されたスマートフォン保持部と、前記スマートフォン保持部と連結し、前記スマートフォン保持部を支持するように形成された支持部と、前記支持部と連結し、前記支持部を支持し、家具に着脱自在に固定するように形成された固定部と、を有することを特徴とする。
【０００６】
本考案に係る片手操作用スマートフォン着脱自在器具の態様について、前記スマートフォンが、前記スマートフォン保持部に保持された状態、及び前記固定部が前記家具に固定された状態で、前記スマートフォンの使用者が、片手で前記スマートフォンを操作するように構成されている。
【０００７】
本考案に係る片手操作用スマートフォン着脱自在器具の態様について、前記家具は、ベッドであり、前記支持部は、伸縮自在な伸縮棒であり、前記固定部は、クランプであることが好ましい。
【考案の効果】
【０００８】
本考案によれば、ベッド、例えば、病院のベッドで寝ながらであっても簡易にスマートフォンを操作することができる片手操作用スマートフォン着脱自在器具を提供することができる。
【図面の簡単な説明】
【０００９】
【図１】実施形態の片手操作用スマートフォン着脱自在器具の一例を示す模式図である。
【図２】実施形態の片手操作用スマートフォン着脱自在器具を用いたスマートフォンの使用状態を示す参考図である。
【考案を実施するための形態】
【００１０】
以下、本考案の片手操作用スマートフォン着脱自在器具の実施形態を、図１及び図２を用いて説明する。図１(ａ)は、片手操作用スマートフォン着脱自在器具１００の一例を示す模式図であり、図１（ｂ）は、片手操作用スマートフォン着脱自在器具１００にスマートフォンＳが装着されている一例を示す模式図である。また図２は、使用者Ｈが、片手操作用スマートフォン着脱自在器具１００を用いてスマートフォンＳを操作している一例を示す参考図である。
【００１１】
片手操作用スマートフォン着脱自在器具１００は、スマートフォンＳを着脱自在に保持するように形成されたスマートフォン保持部１０と、スマートフォン保持部１０と連結し、スマートフォン保持部１０を支持するように形成された支持部の一例である伸縮自在な伸縮棒２０と、伸縮棒２０と連結し、伸縮棒２０を支持し、家具、この例においてはベッドＢに、着脱自在に固定するように形成された固定部の一例であるクランプ３０を有している。なお、この例において家具は、ベッドＢであるが、これに限定されず、机、椅子などの他の家具であってもよい。
【００１２】
スマートフォン保持部１０は、スマートフォンＳを保持するものであり、スマートフォン保持部１０に収納され載置されたスマートフォンＳを、前後及び左右に自在に回転させる機能を有している。
【００１３】
上記のとおりスマートフォン保持部１０は、スマートフォンＳを保持する機能を有しており、スマートフォン保持部１０に設けられているつまみ１０ａを引き上げることで、スマートフォンＳを挟み込み、そして、つまみ１０ａを常態にすることで、バネの弾性力によりスマートフォンＳが、スマートフォン保持部１０に固定されるように形成されている。
【００１４】
スマートフォン保持部１０に保持されたスマートフォンＳは、縦または横に自在に回転することができ、使用者にとって最適な位置で固定することができる。なお、上記のスマートフォン保持部１０は、一例でありこれに限定されず適宜最適なものを選択すればよい。
【００１５】
伸縮棒２０は、スマートフォン保持部１０と一体的になるように連結されている。伸縮棒２０は、伸縮機能を有する伸び縮みする構造体である。また伸縮棒２０は、骨組み構造の棒状の物で構成された構造であり、収納時２０ｃｍから最長時１０５ｃｍまで伸縮するが、これは一例であり適宜最適なものを選択すればよい。
【００１６】
クランプ３０は、伸縮棒２０と着脱自在なように連結されるものである。この例における連結機能は、伸縮棒の雌螺子に、クランプ３０に設けられた雄螺子が、嵌め込まれることで、これらが一体的に固定されるように形成されている。なお、クランプとは、用具などを作業台などに固定する工具であり、締め具ともいわれているものであり、安全で確実に固定できるものである。なお、この例においては、固定具としてクランプ３０を用いているが、これに限定されず適宜最適なものを選択すればよい。
【００１７】
上記の構成を有する片手操作用スマートフォン着脱自在器具１００は、スマートフォンＳが、スマートフォン保持部１０に保持された状態で、且つ、伸縮棒２０がベッドＢに固定された状態で、例えば、ベッドＢに寝ているスマートフォンＳの使用者Ｈが、片手でスマートフォンＳを操作することができる。
【００１８】
すなわち、一例として、病院のベッドで透析などの長時間の治療を受けている患者にとって、この治療の間にスマートフォンＳを使用して情報検索、情報入手などを行うことは困難であるが、この片手操作用スマートフォン着脱自在器具１００をベッドに固定し、スマートフォンを装着すれば、必要に応じ片手で、スマートフォンＳを使用し、この治療の間においても、有効で快適な時間を過ごすことができる。
【００１９】
上記のとおり、片手操作用スマートフォン着脱自在器具１００は、特に、病院での長期間に亘る治療、長期の入院などにおいて、スマートフォンＳの使用を疲れることなく簡易に操作できる優れた効果を有するものである。また、病院での使用以外でも、この片手操作用スマートフォン着脱自在器具１００の使用は、顕著な効果を有するものである。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案の片手操作用スマートフォン着脱自在器具は、大きさや形状、素材の種類、厚さ、重さなどについては多様な実施形態が可能であり、それらについて本実施形態と異なる形態による実施は、本考案の技術的範囲に含まれる。
【符号の説明】
【００２２】
１００    片手操作用スマートフォン着脱自在器具
１０      スマートフォン保持部
１０ａ    つまみ
２０      伸縮棒
３０      クランプ
Ｓ        スマートフォン
Ｂ        ベッド
Ｈ        使用者
【図１】
0003217434.tif 000003
【図２】
0003217434.tif 000004